(57)【要約】      （修正有）【課題】取り付け時には開閉可能で、解放時には部品点数が少なく、作業が容易に行え、しかも、部品の落下による紛失や危険を回避することのできる導電接続金物及び導電接続方法を提供する。【解決手段】一対の挟持部２６、２８を有する主筋取付部２２と、挟持部の一方の外面側に設けられる導電線取付部２４とを有し、主筋取付部２２は、一対の挟持部２６、２８の一端部をヒンジ部３０にて連結し、他端部を一方の挟持部２６に回動可能に取り付けたボルト・ナット３２のボルト３２Ａを他方の挟持部２８に形成した係合片３４に係合させ、ナット３２Ｂにて一対の挟持部２６、２８の他端側を締め付け挟持可能とされ、導電線取付部２４は、挟持部２６、２８の一方の外面側に設けられた導電線取り付け用の溝５０を有する取付台座４６と、この取付台座４６に対してボルト５４を介して導電線を押し付け保持可能にされた保持部材４８とを有する。【選択図】図３
2012164564.tif 000002
【特許請求の範囲】
【請求項１】
少なくとも鉄筋を用いたコンクリート造の建築物の主筋端部に取り付けられて主筋同士の接続部間を導電線にて接続する導電接続金物であって、
前記主筋の外表面に当接して両側から挟み込む一対の挟持部を有する主筋取付部と、
前記挟持部の一方の外面側に設けられて導電線を接続可能とされた導電線取付部とを有し、
前記主筋取付部は、一対の前記挟持部の一端部をヒンジ部にて連結し、他端部を一方の挟持部に回動可能に取り付けたボルト・ナットのボルトを他方の挟持部に形成した係合片に係合させ、ナットにて前記一対の挟持部の他端側を締め付け挟持可能とされ、
前記導電線取付部は、前記挟持部の一方の外面側に設けられた導電線取り付け用の溝を有する取付台座と、この取付台座に対してボルトを介して前記導電線を押し付け保持可能にされた保持部材とを有することを特徴とする導電接続金物。
【請求項２】
請求項１において、
前記主筋は外表面に凹凸部を有し、
前記主筋取付部の一対の挟持部には、対向内面側に前記主筋の凹部に係合可能なフランジ部が形成されていることを特徴とする導電接続金物。
【請求項３】
請求項１または２において、
前記導電線取付部は、取付台座の溝を直交方向に２本有することを特徴とする導電接続金物。
【請求項４】
請求項１〜３のいずれかにおいて、
前記導電線取付部のボルトは１本とされていることを特徴とする導電接続金物。
【請求項５】
請求項１〜４のいずれかに記載の導電接続金物を用いて、少なくとも鉄筋を用いたコンクリート造の建築物の主筋同士の接続部間を導電線にて接続する導電接続方法であって、
上部側の主筋及び下部側の主筋に取り付ける２つの導電接続金物の導電線取付部に導電線を取り付けて連結する工程と、
前記導電線を連結した２つの導電接続金物をヒンジ部を中心に開放した状態で鉄筋内に挿入する工程と、
前記鉄筋内で上部側の導電接続金物の一対の挟持部を上部側の主筋に装着し、前記ボルト・ナットを回動させて係合片に係合させ、ボルトを締めて上部側の導電接続金物を上部側の主筋下端部に取り付ける工程と、
前記鉄筋内で下部側の導電接続金物の一対の挟持部を下部側の主筋に装着し、前記ボルト・ナットを回動させて係合片に係合させ、ボルトを締めて下部側の導電接続金物を下部側の主筋上端部に取り付ける工程と、
を含むことを特徴とする導電接続方法。
【請求項６】
請求項５において、
前記２つの導電接続金物の導電線取付部に導電線を取り付けて連結する際に、一方の導電接続金物の導電線取付部にスラブ側の等電位導電線を連結する工程を含むことを特徴とする導電接続方法。
【発明の詳細な説明】
【技術分野】
【０００１】
本発明は、導電接続金物及び導電接続方法に関し、特に、少なくとも鉄筋を用いたコンクリート造の建築物の主筋端部に取り付けられて主筋同士の接続部間を導電線にて接続する。
【背景技術】
【０００２】
一般に、鉄筋を用いたコンクリート造の建築物で、構造体利用により統合接地システムを構築する場合、特に、鉄筋コンクリート造の主筋を利用する場合においては、主筋の接続箇所において確実に導電性を確保しなければならない。
【０００３】
主筋を圧接接続する場合には問題はないが、機械式継手（以後、カプラーと称す。）を利用する場合、最終的な主筋とカプラーとの固定はグラウト材で行っており、そのグラウト材には導電性がないため、アースクランプと称される導電接続金物を用いて導電性を確保しなければならない。
【０００４】
アースクランプは、主筋の接続箇所において、カプラーを挟んで上下に取り付けてボンド線と称される導電線で結ぶことにより導電性を確保する機能を有している。
【０００５】
アースクランプ取り付け作業時、作業スペースが確保されている状態での作業性・安全性は良いが、大規模現場で、柱筋を先組みして揚重機等で持ち上げながらカプラーを用いて接合していく場合、アースクランプを設置するための作業工程がとれず、柱筋接合後の作業となってしまう。
【０００６】
アースクランプを繋ぐ導電線は、柱主筋内を通線するため、ボルトやナット類を締め込む作業は柱フープ筋の狭い隙間に手を差し込んで行うために危険で作業能率の悪い作業であった。
【０００７】
このようなアースクランプの一つとして、特許文献１に示すような鉄筋接続金具の提案がなされている。
【０００８】
この鉄筋接続金具は、挟持部材と挟着部材を開閉可能にする枢軸と、両部材を締結するボルト・ナットとを有する構成となっている。
【先行技術文献】
【特許文献】
【０００９】
【特許文献１】特開平９−７３９２９号公報
【発明の概要】
【発明が解決しようとする課題】
【００１０】
このような鉄筋接続金具にあっては、枢軸とボルト・ナットが挟持部材及び挟着部材と別体にされているため、鉄筋への取り付け時には、枢軸とボルト・ナットを取り外してしまうと４部材になってしまい、部品点数が多く作業がしにくい上に、作業時に挟持部材や挟着部材、枢軸やボルト・ナット等を落下させて紛失したり、落下による周囲への危険を生じさせる恐れがある。
【００１１】
本発明の目的は、取り付け時には開閉可能で、解放時には部品点数が少なく、作業が容易に行え、しかも、部品の落下による紛失や危険を回避することのできる導電接続金物及び導電接続方法を提供することにある。
【課題を解決するための手段】
【００１２】
前記目的を達成するため、本発明の導電接続金物は、少なくとも鉄筋を用いたコンクリート造の建築物の主筋端部に取り付けられて主筋同士の接続部間を導電線にて接続する導電接続金物であって、
前記主筋の外表面に当接して両側から挟み込む一対の挟持部を有する主筋取付部と、
前記挟持部の一方の外面側に設けられて導電線を接続可能とされた導電線取付部とを有し、
前記主筋取付部は、一対の前記挟持部の一端部をヒンジ部にて連結し、他端部を一方の挟持部に回動可能に取り付けたボルト・ナットのボルトを他方の挟持部に形成した係合片に係合させ、ナットにて前記一対の挟持部の他端側を締め付け挟持可能とされ、
前記導電線取付部は、前記挟持部の一方の外面側に設けられた導電線取り付け用の溝を有する取付台座と、この取付台座に対してボルトを介して前記導電線を押し付け保持可能にされた保持部材とを有することを特徴とする。
【００１３】
本発明によれば、主筋取付部の一対の挟持部の一端部をヒンジ部にて連結し、他端部を一方の挟持部に回動可能に取り付けたボルト・ナットのボルトを他方の挟持部に形成した係合片に係合させ、ナットにて前記一対の挟持部の他端側を締め付け挟持させるようにすることで、取り付け時にはヒンジ部を介して開閉可能で、開放時には主筋取付部は一体となっているため、部品点数が少なく、作業が容易に行え、しかも、部品の落下による紛失や危険を回避することができる。
【００１４】
本発明においては、前記主筋は外表面に凹凸部を有し、前記主筋取付部の一対の挟持部には、対向内面側に前記主筋の凹部に係合可能なフランジ部が形成されるようにすることができる。
【００１５】
このような構成とすることにより、外表面に凹凸部を有する異形鉄筋である主筋の凹部にフランジ部を係合させることで、主筋に対して導電接続金物がずり落ちるのを防止することができる。
【００１６】
本発明においては、前記導電線取付部は、取付台座の溝を直交方向に２本有するものとすることができる。
【００１７】
このような構成とすることにより、取付台座に直交方向の２本の溝を設けることで導電線の取り付け方向任意に設定可能とし、取り付け作業の効率化を図ることが可能となる。
【００１８】
本発明においては、前記導電線取付部のボルトは１本とすることができる。
【００１９】
このような構成とすることにより、導電線取付部のボルトを１本とすることで、締め付け作業数を減少させて、作業効率の向上を図ることが可能となる。
【００２０】
本発明の導電接続方法は、前述のいずれかの導電接続金物を用いて、少なくとも鉄筋を用いたコンクリート造の建築物の主筋同士の接続部間を導電線にて接続する導電接続方法であって、
上部側の主筋及び下部側の主筋に取り付ける２つの導電接続金物の導電線取付部に導電線を取り付けて連結する工程と、
前記導電線を連結した２つの導電接続金物をヒンジ部を中心に開放した状態で鉄筋内に挿入する工程と、
前記鉄筋内で上部側の導電接続金物の一対の挟持部を上部側の主筋に装着し、前記ボルト・ナットを回動させて係合片に係合させ、ボルトを締めて上部側の導電接続金物を上部側の主筋下端部に取り付ける工程と、
前記鉄筋内で下部側の導電接続金物の一対の挟持部を下部側の主筋に装着し、前記ボルト・ナットを回動させて係合片に係合させ、ボルトを締めて下部側の導電接続金物を下部側の主筋上端部に取り付ける工程と、
を含むことを特徴とする。
【００２１】
本発明によれば、導電接続金物を開いた状態にすれば鉄筋内に導電接続金物を容易に挿入することができるため、予め上下に取り付ける２つの導電接続金物を導電線にて連結し、その状態で２つの導電接続金物を鉄筋内に挿入して主筋に取り付けることで、狭い鉄筋内での導電線の接続作業を不要として、作業効率を確実に向上させることが可能となる。
【００２２】
また、鉄筋内でのボルト・ナットの締め付け作業は係合片での一箇所で済み、しかも、締め付け作業は鉄筋の外面側で行うことができ、作業効率を格段に向上させることができる。
【００２３】
本発明においては、前記２つの導電接続金物の導電線取付部に導電線を取り付けて連結する際に、一方の導電接続金物の導電線取付部にスラブ側の等電位導電線を連結する工程を含むものとすることができる。
【００２４】
このような構成とすることにより、導電接続金物を連結する導電線のみならず、等電位導電線も外部で導電接続金物に連結して鉄筋内に挿入することができ、等電位導電線の連結作業が格段に向上することとなる。
【図面の簡単な説明】
【００２５】
【図１】本発明の一実施の形態にかかる導電接続金物を用いて鉄筋コンクリート造の建築物の導電接続を行う状態を示す正面図である。
【図２】図１の導電接続状態の平面図である。
【図３】図１及び図２に示す導電接続金物の斜視図である。
【図４】図３の導電接続金物の正面図である。
【図５】図４の矢視Ｖ方向から見た側面図である。
【図６】図４の矢視VI方向から見た底面図である。
【図７】図６の取付台座に取り付ける保持部材の平面図である。
【図８】取付台座及び保持部材の断面図である。
【図９】（Ａ）は、直交する２本の溝と２つのボルト穴を有する取付台座の平面図、（Ｂ）は、１本の溝と１つのボルト穴を有する取付台座の平面図、（Ｃ）は、直交する２本の溝と１つのボルト穴を有する取付台座の平面図である。
【発明を実施するための形態】
【００２６】
以下、本発明の実施の形態について、図面を参照して説明する。
【００２７】
図１〜図８は、本発明の一実施の形態にかかる導電接続金物を示す図で、図１は鉄筋取り付け時の正面図、図２はその平面図である。
【００２８】
この実施の形態にかかる導電接続金物１０は、少なくとも鉄筋を用いたコンクリート造、例えば鉄筋コンクリート造、鉄骨鉄筋コンクリート造の建築物の鉄筋、例えば図１及び図２に示す柱鉄筋１２に取り付けられるようになっている。
【００２９】
この柱鉄筋１２は、上下方向に延びる複数本の主筋１４と、この主筋１４に対して所定間隔で巻回される複数本のフープ筋１６とを有しており、主筋１４は、図１に示すように、上下方向の接続箇所でカプラ−１８を回して接続されるようになっている。
【００３０】
主筋１４とカプラー１８との固定は、グラウト材で行われるようになっており、このグラウト材は導電性を有していないため、上部側及び下部側の主筋１４下端部及び上端部にそれぞれ導電接続金物１０を取り付けて、それぞれの導電接続金物１０を導電線２０で連結することにより導電性を確保するようにしている。
【００３１】
導電接続金物１０は、前述のように、主筋１４の端部に取り付けられて、上下側の主筋１４同士の接続部間を導電線２０にて接続するもので、導電性材料、例えば鉄製のものとされ、主筋取付部２２と、導電線取付部２４とを有している。
【００３２】
主筋取付部２２は、図３〜図６に示すように、主筋１４の外表面に当接して両側から主筋１４を挟み込む一対の挟持部２６、２８を有している。
【００３３】
この一対の挟持部２６、２８は、一端部がヒンジ部３０にて開閉可能に連結され、他端部に一方の挟持部２６に回動可能にボルト・ナット３２が取り付けられ、このボルト・ナット３２のボルト３２Ａを他方の挟持部２８の対応位置に形成した係合片３４に係合させるようにしている。
【００３４】
そして、ボルト３２Ａを係合片に係合させた状態で、ナット３２Ｂにて一対の挟持部２６、２８の他端側を締め付けることで主筋１４を挟持可能とされている。
【００３５】
具体的には、ヒンジ部３０は、一対の挟持部２６、２８に設けたヒンジ片２６Ａ、２８Ａをヒンジ軸となるボルト・ナット３６にて連結した状態となっており、このヒンジ部３０にて連結され、かつ、挟持部２６、２８を開放した状態でフープ筋１６間より鉄筋１２内に導電接続金物１０が挿入されるようになっている。
【００３６】
主筋挟持用のボルト・ナット３２は、一方の挟持部２６側に設けた一対の支持ブラケット３８にピン４０を回転可能に取り付け、このピン４０にボルト・ナット３２を一体に取り付け、支持ブラケット３８間にはボルト・ナット３２回動用のスリット４２が設けられている。
【００３７】
また、係合片３４にもスリット４２対応位置に係合用スリット４４が設けられている。
【００３８】
さらに、主筋１４には外表面に凹凸部を有する異形鉄筋が用いられるため、主筋取付部の２２の一対の挟持部２６、２８には、対向内面側に主筋１４の凹部に係合可能なフランジ部６２が形成され、これによって、主１４筋に対して導電接続金物１０がずり落ちるのを防止している。
【００３９】
導電線取付部２４は、一方の挟持部２８の外面側に設けられて導電線２０を接続可能とするもので、取付台座４６と、保持部材４８とを有する。
【００４０】
取付台座４６は、外面側に１本の導電線２０取り付け用の溝５０を有しており、この溝５０に導線２０を挿入可能にしている。
【００４１】
また、溝５０の両側には、それぞれボルト用ねじ穴５２が設けられている。
保持部材４８は、取付台座４６に対してボルト５４（図８参照）を介して導電線２０を押し付け保持可能にするもので、ボルト用ねじ穴５２対応位置に２個のボルト穴５６が形成され、２本のボルト５４をボルト穴５６を介してボルト用ねじ穴５２に螺合させることで締め付け固定可能にされている。また、保持部材４８の取付台座４６側の面には、溝５０内に突出して導電線２０を押し付け固定する突起部６０が設けられている。
【００４２】
このように、本実施の形態によれば、主筋取付部２２の一対の挟持部２６、２８の一端部をヒンジ部３０にて連結し、他端部を一方の挟持部２６に回動可能に取り付けたボルト・ナット３２のボルト３２Ａを他方の挟持部２８に形成した係合片３４に係合させ、ナット３２Ｂにて一対の挟持部２６、２８の他端側を締め付け挟持させるようにすることで、取り付け時にはヒンジ部３０を介して開閉可能で、開放時には主筋取付部２２は一体となっているため、部品点数が少なく、作業が容易に行え、しかも、部品の落下による紛失や危険を回避することができることとなる。
【００４３】
図９には、導電線取付部２４の変形例を示す。
同図（Ａ）では、導電線取付部２４の取付台座４６の溝５０を直交方向に２本形成し、ボルト用ねじ穴５２も２個設けるようにしている。
【００４４】
このようにすることで、導電線２０の取り付け方向を任意に設定可能とし、取り付け作業の効率化を図るようにしている。
【００４５】
同図（Ｂ）では、導電線取付部２４取付台座４６の溝を１本にするとともに、ボルト用ねじ穴５２を１個とし、導電線取付部２４のボルト５４を１本とすることで、締め付け作業数を減少させて、作業効率の向上を図ることが可能となるようにしている。
【００４６】
同図（Ｃ）では、導電線取付部２４の取付台座４６の溝５０を直交方向に２本形成し、ボルト用ねじ穴５２を１個設けるようにしている。
このようにすることで、導電線２０の取り付け方向を任意に設定可能とし、取り付け作業の効率化を図るとともに、導電線取付部２４のボルト５４を１本とすることで、締め付け作業数を減少させて、作業効率の向上を図ることが可能となるようにしている。
【００４７】
次に、このような導電接続金物１０を用いた導電接続方法について説明する。
【００４８】
この導電接続方法においては、まず、図１に示すように、上部側の主筋１４と下部側の主筋１４とをカプラー１８で接続した状態で、上部側の主筋１４及び下部側の主筋１４に取り付ける２つの導電接続金物１０の導電線取付部２４に導電線２０を取り付けて連結する。
【００４９】
次いで、導電線２０を連結した２つの導電接続金物１０をヒンジ部３０を中心に開放した状態でフープ筋１６の間より柱鉄筋１２内に挿入する。
【００５０】
次に、柱鉄筋１２内で上部側の導電接続金物１０の一対の挟持部２６、２８を上部側の主筋１４に装着し、ボルト・ナット３２を回動させて係合片３４に係合させ、ボルト３２Ａを締めて上部側の導電接続金物１０を上部側の主筋１４下端部に取り付ける。
【００５１】
そして、柱鉄筋１２内で下部側の導電接続金物１０の一対の挟持部２６、２８を下部側の主筋１４に装着し、ボルト・ナット３２を回動させて係合片３４に係合させ、ボルト３２Ａを締めて下部側の導電接続金物１０を下部側の主筋１４上端部に取り付けることで、上部側の主筋１４と下部側の主筋１４の導電接続を行う。
【００５２】
このように導電接続金物１０を開いた状態にすれば柱鉄筋１２内に導電接続金物１０を容易に挿入することができるため、予め上下に取り付ける２つの導電接続金物１０を導電線２０にて連結し、その状態で２つの導電接続金物１０を柱鉄筋１２内に挿入して主筋１４に取り付けることで、狭い柱鉄筋１２内での導電線２０の接続作業を不要として、作業効率を確実に向上させることが可能となる。
【００５３】
また、柱鉄筋１２内でのボルト・ナット３２の締め付け作業は係合片３４での一箇所で済み、しかも、締め付け作業は柱鉄筋１２の外面側で行うことができ、作業効率を格段に向上させることができる。
【００５４】
また、図１及び図２に示すように、スラブ側の等電位導電線５８主筋１４と接続する必要がある場合には、導電線２０を２つの導電接続金物１０の導電線取付部２４に取り付けて連結する際に、上部側または下部側の一方の導電接続金物１０の導電線取付部２４にスラブ側の等電位導電線５８を連結しておくことにより、導電接続金物１０を連結する導電線２０のみならず、等電位導電線５８も柱鉄筋１２の外部で導電接続金物１０に連結して柱鉄筋１２内に挿入することができ、等電位導電線５８の連結作業が格段に向上することとなる。
【産業上の利用可能性】
【００５５】
本発明は、前記実施の形態に限定されるものではなく、本発明の要旨の範囲内において種々の形態に変形可能である。
【００５６】
例えば、前記実施の形態においては、柱鉄筋の主筋の導電性を確保するために導電接続金物を用いた場合について説明したが、この例に限らず、壁・床・梁等において主筋の導電性を確保する場合にも適用可能である。
【符号の説明】
【００５７】
１０  導電接続金物
１２  柱鉄筋
１４  主筋
２０  導電線
２２  主筋取付部
２４  導電線取付部
２６、２８  挟持部
３０  ヒンジ部
３２  ボルト・ナット
３２Ａ  ボルト
３２Ｂ  ナット
３４  係合片
４６  取付台座
４８  保持部材
５０  溝
５８  等電位導電線
６２  フランジ部
【図１】
2012164564.tif 000003
【図２】
2012164564.tif 000004
【図３】
2012164564.tif 000005
【図４】
2012164564.tif 000006
【図５】
2012164564.tif 000007
【図６】
2012164564.tif 000008
【図７】
2012164564.tif 000009
【図８】
2012164564.tif 000010
【図９】
2012164564.tif 000011